(57)【要約】      （修正有）【課題】矩形の用紙を用いて、記録媒体の表面を保護出来るパッケージを提供する。【解決手段】略矩形の縦辺１１及び横辺１２の一方の第１辺の寸法が、円形記録媒体１００の略直径寸法Ｌ１の３倍以上であり、他方の第２辺の寸法も、円形記録媒体１００の略直径寸法Ｌ１の２倍以上である用紙１と、用紙１に第１辺に沿って複数の円形記録媒体１００の略直径寸法Ｌ１の縦横寸法である矩形領域２０が３個以上配列され、第２辺に沿って複数の矩形領域２０が２個以上配列されるように形成される第１の折れ目３１と、一つの矩形領域２０の略中心位置に、円形記録媒体１００の中心の円形開口１０１と嵌合可能に設けられる係止部４１と、第１辺の両端に位置する各矩形領域２０部分の用紙における角８、９を折り曲げできるように形成される第２の折れ目５１と有する円形記録媒体用パッケージ。【選択図】図１
2010095313.tif 000002
【特許請求の範囲】
【請求項１】
略矩形の縦辺及び横辺の一方の第１辺の寸法が、収容される円形記録媒体の略直径寸法の少なくとも３倍以上であり、他方の第２辺の寸法も、前記円形記録媒体の略直径寸法の少なくとも２倍以上である用紙と、
前記用紙に、前記第１辺に沿って複数の前記円形記録媒体の略直径寸法の縦横寸法である矩形領域が少なくとも３個配列され、前記第２辺に沿って複数の前記矩形領域が少なくとも２個配列されるように形成される第１の折れ目と、
前記第１の折れ目により区切られた複数の矩形領域中の一つの矩形領域の略中心位置に、前記円形記録媒体の中心の円形開口と嵌合可能に設けられる係止部と、
前記第１辺の両端に位置する各矩形領域中の、少なくとも一方の矩形領域部分の用紙における角を、当該矩形領域の該角を通過しない対角線に略平行に折り曲げできるように形成される第２の折れ目と
を有することを特徴とする円形記録媒体用パッケージ。
【請求項２】
前記用紙の前記第２辺の寸法が前記円形記録媒体の略直径寸法の少なくとも３倍以上である
ことを特徴とする請求項１に記載の円形記録媒体用パッケージ。
【請求項３】
前記第２の折れ目は、前記第１辺の両端に位置する両方の矩形領域部分に形成される
ことを特徴とする請求項１又は２に記載の円形記録媒体用パッケージ。
【請求項４】
前記係止部は、前記第１辺に沿って配列される矩形領域のうちの、折り曲げられて形成された後のパッケージ形態における外部に面しない領域に設けられる
ことを特徴とする請求項１〜３の何れか１項に記載の円形記録媒体用パッケージ。
【請求項５】
前記用紙は、同寸法の用紙の２枚重ねであり、前記係止部は、一方の用紙にのみ設けられる
ことを特徴とする請求項１〜４の何れか１項に記載の円形記録媒体用パッケージ。
【請求項６】
前記第２の折れ目は、前記２枚重ねの一方の用紙にのみ設けられる
ことを特徴とする請求項５に記載の円形記録媒体用パッケージ。
【請求項７】
前記用紙には、少なくとも前記第１の折れ目と前記第２の折れ目が折り曲げられて形成された後のパッケージ形態における表面側となる部分に、予め印刷が施される
ことを特徴とする請求項１〜６の何れか１項に記載の円形記録媒体用パッケージ。
【請求項８】
前記印刷が、前記第２の折れ目の線と直角又は同方向に延伸される線分を含むか、又は、前記第２の折れ目の線及び／又は該線と直角又は同方向に延伸される線分により、印刷内容及び／又は印刷色の境界が分割される
ことを特徴とする請求項７に記載の円形記録媒体用パッケージ。
【請求項９】
前記用紙は、裁断又は簡単な矩形形状の型抜きにより略矩形に形成される
ことを特徴とする請求項１〜８の何れか１項に記載の円形記録媒体用パッケージ。
【請求項１０】
前記第１の折れ目と前記第２の折れ目が折り曲げられて形成された後のパッケージ形態の周囲を、該パッケージ形態の縦及び横の一方の辺に沿って巻き回しできるように、前記周囲の一周寸法よりも同等以上の内径寸法で形成される帯状部を有する
ことを特徴とする請求項１〜９の何れか１項に記載の円形記録媒体用パッケージ。
【請求項１１】
略矩形の縦辺及び横辺の一方の第１辺の寸法が、収容される円形記録媒体の略直径寸法の少なくとも３倍以上であり、他方の第２辺の寸法も、前記円形記録媒体の略直径寸法の少なくとも２倍以上である用紙を使用し、
前記用紙の所定箇所に、前記円形記録媒体の中心の円形開口と嵌合可能な係止部を設ける第１工程と、
前記係止部に前記円形記録媒体を係止する第２工程と、
前記用紙を、前記第１辺又は第２辺と平行に、前記第１辺に沿って複数の前記円形記録媒体の略直径寸法の縦横寸法である矩形領域が少なくとも３個配列され、前記第２辺に沿って複数の前記矩形領域が少なくとも２個配列されるように形成される第１の折れ目で折り曲げる第３工程と、
前記第１辺の両端に位置する各矩形領域中の、少なくとも一方の第１端矩形領域の用紙における角部分の少なくとも１枚の用紙を、当該矩形領域の該角を通過しない対角線と略平行に折り曲げできるように形成される第２の折れ目で折り曲げる第４工程と、
前記第１辺の両端の前記第１端矩形領域の用紙と、前記第１端矩形領域とは反対側の端部に位置する第２端矩形領域の用紙を、前記第１辺とは直角方向の前記第１の折れ目で前記円形記録媒体の一方の面側に折り曲げる第５工程と、
前記第２端矩形領域の用紙の角を、前記第１端矩形領域における前記折り曲げられた用紙と他の用紙との間に挿入することで、前記第２端矩形領域の用紙を前記第１端矩形領域の用紙と係止する第６工程と
を有することを特徴とする円形記録媒体用パッケージの形成方法。
【請求項１２】
前記用紙の前記第２辺の寸法が前記円形記録媒体の略直径寸法の少なくとも３倍以上であり、
前記第３工程では、前記第２辺の矩形領域の折り曲げられる部分が、前記第５工程で前記第１端矩形領域及び前記第２端矩形領域の用紙が折り曲げられる面側とは反対の面側に折り曲げられる
ことを特徴とする請求項１１に記載の円形記録媒体用パッケージの形成方法。
【請求項１３】
前記第４工程では、前記第１辺の両端に位置する第１端矩形領域の用紙と、第２端矩形領域の用紙に形成される第２の折れ目で折り曲げられる
ことを特徴とする請求項１１又は１２に記載の円形記録媒体用パッケージの形成方法。
【発明の詳細な説明】
【技術分野】
【０００１】
本発明は、コンパクトディスク（ＣＤ）、デジタル ヴァーサタイル ディスク（ＤＶＤ）、ブルーレイディスク（ＢＤ）等の音声／画像信号の記録媒体を収容するパッケージに関するものである。
【背景技術】
【０００２】
ＣＤ、ＤＶＤ、ＢＤ等の円形の記録媒体は、規格で定められた寸法であり、例えば外形が直径１２ｃｍ又は８ｃｍの円形、円形の中心に再生装置に固定するための１５ｍｍの円形開口を有し、厚みが１２ｍｍ等となっている。
【０００３】
従来のＣＤ、ＤＶＤ、ＢＤ等の円形の記録媒体の容器としては、一般的に、プラスチックで記録媒体を収納可能な略正方形に形成したパッケージ、又は、厚紙で一辺のみが開口した封筒形状に形成されたパッケージが用いられている。ＣＤ、ＤＶＤ、ＢＤ等は、そのようなパッケージに入れられた後に合成樹脂の外装フィルム等でラッピングされて工場から出荷され、店頭等に陳列される。
【０００４】
そのような従来の一般的なパッケージは、複数の素材で構成されており、プラスチックのパッケージはリサイクルされているとは限らず、厚紙も封筒形状にするために接着剤が使用されていたり、別途の中袋が必要になったりしていた。又、外装フィルムは破棄されることが多かった。そこで、地球上の資源の有効活用及びリサイクル等の環境問題の観点から、素材自体が再生可能素材であり、より破棄される素材がなく、リサイクルしやすいような、エコロジーに配慮したパッケージが要望されている。
【０００５】
上記の環境問題の観点から、例えば、厚紙を用いて、従来の単純な封筒型以外の複数のパッケージ形態が提案されているが、それらは外形が専用の形状であるか及び／又は特殊な構成であるため、例えば、複雑な厚紙の型抜き及び／又は別素材の接着等が必要であり、パッケージを形成するために多くのコストと工数が必要であった。
【０００６】
そのような問題に対して、Ａ４規格の用紙を、用紙の外周辺に対して斜め（略４５度）に設定された折り線に従って折るのみで、接着部又は縫合やステープル等の機械的な接合手段が不要で、繰り返し使用も可能なパッケージが提案されている（特許文献１参照）。特許文献１のＡ４用紙の場合、長辺の縦方向には直径１２ｃｍの２倍以上の寸法（２９．７ｃｍ）を有しているが、短辺の横方向には２倍以下の寸法（２１ｃｍ）である。
【０００７】
そして、記録媒体を収容する領域に隣接する両側の折り曲げられる端部部分は、記録媒体についての同じ面の側に両方とも折り曲げられ、パッケージとして形態を安定させるために、一方の端部の用紙と用紙の隙間に、他方の端部の用紙が嵌め合わされる。つまり、特許文献１に記載のパッケージでは、用紙の一端部の２重に重なる用紙部分が折り曲げられ、その隙間に、他端部の折り曲げられた２重の用紙部分が挿入され、挟み込まれることでパッケージの形態を安定させる構成である。
【先行技術文献】
【特許文献】
【０００８】
【特許文献１】特開２００２−６８３５６号公報
【発明の概要】
【発明が解決しようとする課題】
【０００９】
しかしながら、特許文献１に記載のパッケージでは、上記のように用紙を折って作成する都合上から、ボール紙等の厚紙の使用は困難である。従って、例えば、紙厚が通常の印刷用紙又はコピー用紙程度の厚さの用紙を使用する必要がある。
【００１０】
すると、特許文献１に記載のパッケージは、記録媒体の両面のうち、一方の面については紙１枚の厚みのみで保護される構造であるので、梱包や搬送のために重ね合わせや加圧が行われると、紙厚部分で外力が吸収できなくなり、パッケージ中の記録媒体に外力による損傷を与える可能性があった。
【００１１】
また、特許文献１に記載のパッケージは、Ａ４規格の用紙で作成されるため、パッケージの形態を安定させるための用紙が嵌め合わされて重なる部分の面積は、嵌め合わせ可能な全面積ではなく、端部が欠けた部分的な面積になっている。従って、紙厚が薄くなるとパッケージの形態を安定させることが難しくなる。
【００１２】
また、特許文献１に記載のパッケージでは、記録媒体はＡ４用紙の折り曲げ部により端部が保持される構成である。従って、特許文献１に記載のパッケージでは、折り線に余裕を持たせたり、折り曲げの仕方が悪いと記録媒体とパッケージ間に空間部分ができる場合がある。その場合、例えば、記録媒体生産時の梱包後、搬送経路、商品保管場所及び商品展示中の取り扱い方によっては、記録媒体の表面とパッケージの紙の表面とが擦れ合って、記録媒体の表面に細かい傷が形成される可能性がある。
【００１３】
また、特許文献１に記載のパッケージでは、Ａ４用紙を使用することによる構造上から四角形の一つの角部分が形成できず欠落部になり開口していた。そのため、特許文献１に記載のパッケージをそのまま外装に使用した場合には、搬送中、保管中や商品展示中にその欠落部にゴミや塵埃等の異物が溜まりやすかった。しかも、特許文献１の欠落部は、紙の折れ目ではなく開口しているため、溜まったゴミや塵埃等の異物が振動や取り扱い等によりパッケージの中の侵入し、パッケージ中の記録媒体に損傷を与える可能性があった。
【００１４】
さらに、特許文献１に記載のパッケージでは、上記のようにパッケージの形態を安定させることが難しいことから、パッケージの用紙における欠落部側の上面が、用紙自体の弾性及び折れ目の弾性等により用紙同士を密着させて閉じた状態で安定させることが難しく、開口したところからゴミや塵埃等の異物が入りやすかった。
【００１５】
そこで本発明は、上記の課題を解決するため、エコロジーに配慮した裁断又は簡単な矩形形状の型抜きで形成可能な略矩形の用紙を用いて、低コストで工数が少なく、製造から客先にわたるまでの搬送、保管、商品展示中に記録媒体の表面を保護することができ、パッケージの形態を安定させることができる記録媒体のパッケージを提供することを目的とする。
【課題を解決するための手段】
【００１６】
上記課題を解決するために、本発明に係る円形記録媒体用パッケージは、略矩形の縦辺及び横辺の一方の第１辺の寸法が、収容される円形記録媒体の略直径寸法の少なくとも３倍以上であり、他方の第２辺の寸法も、円形記録媒体の略直径寸法の少なくとも２倍以上である用紙と、用紙に、第１辺に沿って複数の円形記録媒体の略直径寸法の縦横寸法である矩形領域が少なくとも３個配列され、第２辺に沿って複数の矩形領域が少なくとも２個配列されるように形成される第１の折れ目と、第１の折れ目により区切られた複数の矩形領域中の一つの矩形領域の略中心位置に、円形記録媒体の中心の円形開口と嵌合可能に設けられる係止部と、第１辺の両端に位置する各矩形領域中の、少なくとも一方の矩形領域部分の用紙における角を、当該矩形領域の該角を通過しない対角線と略平行に折り曲げできるように形成される第２の折れ目とを有することを特徴とする。
【００１７】
本態様の円形記録媒体用パッケージによれば、裁断又は簡単な矩形形状の型抜きのみで形成が容易な略矩形の用紙を用いて折り曲げるのみのパッケージで、記録媒体の表面を保護することができると共にパッケージの形態を安定させることができ、折り曲げるのみで、低コストで工数が少ないパッケージを提供できる。
【００１８】
好ましくは、用紙の第２辺の寸法が円形記録媒体の略直径寸法の少なくとも３倍以上であるようにしてもよい。
本態様の円形記録媒体用パッケージによれば、円形記録媒体における用紙が嵌め合わされる側のみでなく、円形記録媒体における反対側もパッケージの用紙を２重以上にすることができるので、製造から客先にわたるまで記録媒体の表面を確実に保護することができる。
【００１９】
好ましくは、第２の折れ目は、第１辺の両端に位置する両方の矩形領域部分に形成されるようにしてもよい。
本態様の円形記録媒体用パッケージによれば、記録媒体を収容する領域に隣接する両側の折り曲げられる端部部分でも、一方の端部の用紙の隙間に、他方の端部の用紙を嵌め合わすことができるので、製造時の自由度が増し、製造を容易にできる。また、どちらの端部を外側にするかでパッケージの外側の構成が変えることができるので、付加価値を高めることができる。
【００２０】
好ましくは、係止部は、第１辺に沿って配列される矩形領域のうちの、折り曲げられて形成された後のパッケージ形態における外部に面しない領域に設けられるようにしてもよい。
本態様の円形記録媒体用パッケージによれば、係止部をパッケージの内部に設けることで、確実に円形記録媒体を保護することができる。
【００２１】
好ましくは、用紙は、同寸法の用紙の２枚重ねであり、係止部は、一方の用紙にのみ設けられるようにしてもよい。
本態様の円形記録媒体用パッケージによれば、用紙を２枚重ねにすることで、折り曲げによる製造しやすさの低下を最小限にして、さらに確実に円形記録媒体を保護することができる。
【００２２】
好ましくは、第２の折れ目は、２枚重ねの一方の用紙にのみ設けられるようにしてもよい。
本態様の円形記録媒体用パッケージによれば、折り曲げを一方のみにすることで、構成上の自由度が増加すると共に、紙の柔軟性が増すので、用紙端部同士の嵌め合わせを容易にすることができる。
【００２３】
好ましくは、用紙には、少なくとも第１の折れ目と第２の折れ目が折り曲げられて形成された後のパッケージ形態における表面側となる部分に、予め印刷が施されるようにしてもよい。
本態様の円形記録媒体用パッケージによれば、通常の紙厚のパッケージ用用紙に印刷することで、印刷が容易であり、また、折り込まれる内側に任意の事項を印刷できるので、別紙で追加する歌詞カードや宣伝ライナーノーツ、宣伝文等を減らすことができる。
【００２４】
好ましくは、印刷が、第２の折れ目の線と直角又は同方向に延伸される線分を含むか、又は、第２の折れ目の線及び／又は該線と直角又は同方向に延伸される線分により、印刷内容及び／又は印刷色の境界が分割されるようにしてもよい。
本態様の円形記録媒体用パッケージによれば、印刷を第２の折れ目に沿って線を書いたり、第２の折れ目に沿った線で分割した領域の少なくとも一方を強調したり、第２の折れ目で別れる角領域を各々変更することができ、外観構成の表現の自由度を増大させることができる。
【００２５】
好ましくは、用紙は、裁断又は簡単な矩形形状の型抜きにより略矩形に形成されるようにしてもよい。
本態様の円形記録媒体用パッケージによれば、用紙が矩形であるので、裁断又は簡単な矩形形状の型抜きのみで製造でき、抜き型を用いる場合も容易に安価で得ることができる。
【００２６】
好ましくは、第１の折れ目と第２の折れ目が折り曲げられて形成された後のパッケージ形態の周囲を、該パッケージ形態の縦及び横の一方の辺に沿って巻き回しできるように、周囲の一周寸法よりも同等以上の内径寸法で形成される帯状部を有するようにしてもよい。
本態様の円形記録媒体用パッケージによれば、帯状部を追加することで、万が一の用紙端部同士の嵌め合わせが外れる事態を回避することができる。
【００２７】
上記課題を解決するために、本発明に係る円形記録媒体用パッケージの形成方法は、略矩形の縦辺及び横辺の一方の第１辺の寸法が、収容される円形記録媒体の略直径寸法の少なくとも３倍以上であり、他方の第２辺の寸法も、円形記録媒体の略直径寸法の少なくとも２倍以上である用紙を使用し、用紙の所定箇所に、円形記録媒体の中心の円形開口と嵌合可能な係止部を設ける第１工程と、係止部に円形記録媒体を係止する第２工程と、用紙を、第１辺又は第２辺と平行に、第１辺に沿って複数の円形記録媒体の略直径寸法の縦横寸法である矩形領域が少なくとも３個配列され、第２辺に沿って複数の矩形領域が少なくとも２個配列されるように形成される第１の折れ目で折り曲げる第３工程と、第１辺の両端に位置する各矩形領域中の、少なくとも一方の第１端矩形領域の用紙における角部分の少なくとも１枚の用紙を、当該矩形領域の該角を通過しない対角線と略平行に折り曲げできるように形成される第２の折れ目で折り曲げる第４工程と、第１辺の両端の第１端矩形領域の用紙と、第１端矩形領域とは反対側の端部に位置する第２端矩形領域の用紙を、第１辺とは直角方向の第１の折れ目で円形記録媒体の一方の面側に折り曲げる第５工程と、第２端矩形領域の用紙の角を、第１端矩形領域における折り曲げられた用紙と他の用紙との間に挿入することで、第２端矩形領域の用紙を第１端矩形領域の用紙と係止する第６工程とを有することを特徴とする。
本態様の円形記録媒体用パッケージの形成方法によれば、形成が容易な略矩形の用紙を用いて折り曲げるのみのパッケージで、記録媒体の表面を保護することができると共にパッケージの形態を安定させることができ、折り曲げるのみで、低コストで工数を少なくできる。
【００２８】
好ましくは、用紙の第２辺の寸法が円形記録媒体の略直径寸法の少なくとも３倍以上であり、第３工程では、第２辺の矩形領域の折り曲げられる部分が、第５工程で第１端矩形領域及び第２端矩形領域の用紙が折り曲げられる面側とは反対の面側に折り曲げできるようにしてもよい。
本態様の円形記録媒体用パッケージの形成方法によれば、円形記録媒体における用紙が嵌め合わされる側のみでなく、それとは反対側もパッケージの用紙部分も２重以上にすることができるので、製造から客先にわたるまで記録媒体の表面を確実に保護することができができる。
【００２９】
好ましくは、第４工程では、第１辺の両端に位置する第１端矩形領域の用紙と、第２端矩形領域の用紙に形成される第２の折れ目で折り曲げできるようにしてもよい。
本態様の円形記録媒体用パッケージの形成方法によれば、記録媒体を収容する領域に隣接する両側の折り曲げられる端部部分でも、一方の端部の用紙の隙間に、他方の端部の用紙を嵌め合わすことができるので、製造時の自由度が増し、製造を容易にできる。また、どちらの端部を外側にするかでパッケージの外側の構成が変えることができるので、付加価値を高めることができる。
【発明の効果】
【００３０】
本発明によれば、エコロジーに配慮した裁断又は簡単な矩形形状の型抜きで形成可能な略矩形の用紙を用いて、折り曲げのみで、低コストで工数が少なく、製造から客先にわたるまでの搬送、保管、商品展示中に記録媒体の表面を保護することができ、パッケージの形態を安定させることができる記録媒体のパッケージを提供することができる。
【図面の簡単な説明】
【００３１】
【図１】本発明の第１の実施形態に係る円形記録媒体用パッケージの概要と製造方法を順に示した図であり、（ａ）が用紙の折り曲げ前で円形記録媒体の収容前の状態を示す上面図であり、（ｂ）が（ａ）の用紙の折り曲げ前で円形記録媒体を係合させて収容して用紙の状態を示す上面図であり、（ｃ）が（ｂ）の用紙を第１の折れ目で縦に半分に折り、更に第２の折れ目で、用紙の第１辺の両端に位置する一方の矩形領域部分の１枚の用紙を折り曲げた状態を示す上面図であり、（ｄ）が（ｃ）の裏面を示す下面図であり、（ｅ）が（ｄ）の用紙をさらに第１の折れ目で縦に半分に折った状態を示す下面図であり、（ｆ）が（ｅ）の用紙の第１辺の両端に位置する他方の矩形領域部分を折り曲げた状態を示す下面図であり、（ｇ）が（ｆ）の用紙の第１辺の両端に位置する一方の矩形領域部分を折り曲げた状態を示す下面図であり、（ｈ）が（ｇ）の表面の一部に帯状部を挿入した状態を示す上面図である。
【図２】本発明の第２実施形態に係る円形記録媒体用パッケージの概要と製造方法の要部を示した図であり、（ａ）が図１（ｄ）に対応する図で、第２の折れ目で、用紙の第１辺の両端に位置する両方の矩形領域部分の１枚の用紙を折り曲げた状態を示す下面図であり、（ｂ）が（ａ）の用紙をさらに第１の折れ目で縦に半分に折った状態を示す下面図であり、（ｃ）が（ｂ）の用紙の第１辺の両端に位置する両方の矩形領域部分を折り曲げて、嵌め合わせた状態を示す下面図である。
【図３】本発明の第３の実施形態に係る円形記録媒体用パッケージの概要を示した図である。
【発明を実施するための形態】
【００３２】
＜第１実施形態＞
本発明の記録媒体のパッケージの第１の実施の形態について、図面を用いて詳細に説明する。
図１（ａ）〜（ｈ）は、本発明の第１の実施形態に係る円形記録媒体用パッケージの概要と製造方法を順に示した図である。まず、図１（ａ）の状態では、用紙１は折り曲げ前であり、円形記録媒体１００の収容前の状態を示す上面図である。
【００３３】
用紙１は、裁断又は簡単な矩形形状の型抜き可能な略矩形であり、図に示した用紙１の縦辺である第１辺１１の寸法は、収容されるＣＤ等の円形記録媒体１００の略直径Ｌ１寸法の略３倍である。この場合の第１辺１１の寸法が略３倍であるのは、用紙１を図の第１の折れ目３１で折り曲げた場合に円形記録媒体１００の厚み寸法分だけ余分がないと円形記録媒体１００の一部がパッケージで保護できなくなるためである。従って、本願で示した略３倍は３倍よりも多い側を意味している。
【００３４】
また、第１辺１１の寸法が円形記録媒体１００の厚み寸法分を含んで２回折り曲げることを含んだ略３倍よりも有意に大きい場合には、その余剰分を折り曲げることにより略３倍とする。
【００３５】
また、用紙１は、裁断又は簡単な矩形形状の型抜きにより略矩形に形成されており、用紙１が矩形であることから、裁断のみで製造でき、抜き型を用いる場合も容易に安価で形成することができる。また、用紙１の材料としては、通常のパルプ原料を主体とするバージンペーパ及びリサイクルペーパの他に、例えば、ビニール等の各種コーティングが施された紙、布地等が貼り付けられた紙、布地に糊や樹脂を含浸させた平板、平板形状が安定する厚みやリブ等を有するビニールシート等を含む。また、明確な折り目を強調しない場合には、布地そのものやビニールシートそのものを使用することができる。
【００３６】
また、用紙１は、同寸法の用紙を２枚重ねして用いてもよい。用紙を２枚重ねにすることで、折り曲げによる製造しやすさの低下を最小限にして、さらに確実に円形記録媒体１００を保護することができる。
【００３７】
また、矩形領域２０は、円形記録媒体１００の略直径Ｌ１寸法の縦横寸法である。図１（ａ）等にも示し、上記に説明したように第１辺１１が略３倍であることから、矩形領域２０は第１の折れ目３１で各領域が分割されて、第１辺１１に沿って３個が配列される。
【００３８】
図１（ａ）、（ｂ）に示した用紙１の横辺である第２辺１２の寸法は、収容されるＣＤ等の円形記録媒体１００の略直径Ｌ１寸法の略４倍である。この場合の第２辺１２の寸法が略４倍であるのは、用紙１を図の第１の折れ目３１で折り曲げた場合に円形記録媒体１００の厚み寸法分だけ余分がないと円形記録媒体１００の一部がパッケージで保護できなくなるためである。従って、本願で示した略４倍は４倍よりも多い側を意味している。また、第２辺１２の寸法が円形記録媒体１００の厚み寸法分を含んで３回折り曲げることを含んだ略４倍よりも有意に大きい場合には、その余剰分を折り曲げることにより略４倍とする。また、この場合、第２辺１２に沿っては、矩形領域２０は第１の折れ目３１で各領域が分割されて４個が配列される。
【００３９】
なお、第２辺１２の寸法は、用紙１の厚み寸法が内部に収容される円形記録媒体を保護するために充分な厚みである場合、略２倍としてもよく、その場合、第２辺１２に沿っては、矩形領域２０は第１の折れ目３１で各領域が分割されて２個が配列される。従って、第２辺１２の寸法は、円形記録媒体１００の略直径Ｌ１寸法の少なくとも２倍以上となる。
【００４０】
このように本実施形態の円形記録媒体用パッケージによれば、用紙１の第２辺１２の寸法を円形記録媒体１００の略直径Ｌ１寸法の少なくとも３倍以上であるようにすることで、円形記録媒体１００における用紙１が嵌め合わされる側のみでなく、円形記録媒体１００における反対側もパッケージの用紙を２重以上にすることができる。このようにして、用紙１の紙厚が比較的薄い場合でも、製造から客先にわたるまで円形記録媒体１００の両方の表面を確実に保護することができができる。
また、形成が容易な略矩形の用紙１を用いて折り曲げるのみのパッケージで、円形記録媒体１００の両表面を保護することができると共にパッケージの形態を安定させることができ、折り曲げるのみで、低コストで工数が少ないパッケージを提供できる。
【００４１】
第１の折れ目３１は、第１辺１１と第２辺１２に沿って複数個が配列される矩形領域２０の間に形成されて、各矩形領域２０を区切られている。図１（ａ）、（ｂ）では、第１辺１１と平行な縦列で区切る第１の折れ目３１が３本と、第２辺１２と平行な横列で区切る２本の第１の折れ目３１が示されている。
【００４２】
係止部４１は、複数の矩形領域２０の中の一つの矩形領域２０の略中心位置２１に、円形記録媒体１００の中心の円形開口１０１と嵌合可能に設けられる。例えば、弾性を有する発泡性高分子フォーム（例えばウレタンフォーム等）で形成され、円形記録媒体１００の中心の円形開口１０１の直径寸法１５ｍｍよりも僅かに大きい係止部４１を、円形記録媒体１００を収容させる矩形領域２０の略中心位置２１に、接着剤等で貼り付けてもよい。あるいは、放射状のスリット形状を設けてデイジーホイール状に弾性を持たせた硬質の高分子成型材料（例えばポリカーボネート樹脂、ＡＢＳ樹脂等のプラスチック）や、コルク等の木質材料、又は、天然ゴム／合成ゴム等のゴム系材料で形成された係止部４１を、略中心位置２１に、接着剤等で貼り付けてもよい。
【００４３】
用紙１中で、係止部４１が設けられる矩形領域２０は、用紙１を第１の折れ目３１に従い折り曲げた場合に、円形記録媒体１００が最終的に表面に露出しない領域であれば、任意の領域に設けてよい。従って、折り曲げ方、及び、折り曲げ順序により、係止部４１が設けられる矩形領域２０は異なる。本実施形態では、図１（ａ）の上下３列のうちの中心の列で、左右４列のうちの右から２列目に係止部４１を設けた。つまり係止部４１は、第１辺１１に沿って配列される矩形領域２０のうちの、折り曲げられて形成された後のパッケージ形態における外部に面しない領域に設けられる。このように係止部４１をパッケージの内部に設けることで、確実に円形記録媒体１００を保護することができる。また、用紙１を同寸法の用紙の２枚重ねとした場合には、係止部４１は、一方の用紙１にのみ設けられればよい。
【００４４】
また、本実施形態の折り曲げ方は、図１（ａ）〜図１（ｇ）に示したように、隣接する縦の第１の折れ目３１については、右端から数えて最初の第１の折れ目３１を谷折りし、次を山折り、最後を谷折りとして、谷折りと山折りを交互に繰り返している。このように折り曲げることで、円形記録媒体１００の表面（記録面）を多層の用紙１により保護することができる。図１（ｅ）の時点で、上下中心矩形領域６の円形記録媒体１００の表面（記録面）上は２層の用紙１により保護され、さらに上下端部矩形領域５及び７がその上に重なって保護する。
【００４５】
本実施形態の第２の折れ目５１は、図１（ｃ）に示すように、第１辺１１の両端に位置する各矩形領域２０（すなわち、上下端部矩形領域５及び７）中の、一方の矩形領域２０（上端部矩形領域７）部分の用紙１における角８を、当該矩形領域２０の該角８を通過しない対角線と略平行に折り曲げできるように形成される。第２の折れ目５１により折り曲げられた部分の面積は、当該矩形領域２０の該角８を通過しない対角線と折り曲げ線が一致する時の最大折り曲げ量以下になる。また、対角線と略平行に折り曲げできる角度範囲は、折り曲げた角８がめくれ上がることなく、逆側の角９と嵌め合わせが容易であれば、対角線と平行でなくとも、当該平行状態に対して４５度以下で異なる角度であってもよく、折り曲げられた部分の面積が、対角線と折り曲げ線が一致する時の最大折り曲げ量以下になるようにすればよい。
【００４６】
また、用紙１を同寸法の用紙の２枚重ねとした場合には、第２の折れ目５１は、２枚重ねのうちの、最終的なパッケージ形態における外側に当たる一方の用紙１にのみ設けられるようにしてもよい。このように折り曲げを一方のみにすることで、構成上の自由度が増加すると共に、紙の柔軟性が増すので、用紙端部同士の嵌め合わせを容易にすることができる。
【００４７】
また、図示は省略しているが、用紙１には、第１の折れ目３１と第２の折れ目５１が折り曲げられて形成された後のパッケージ形態における少なくとも表面側となる部分に、予め印刷が施されるようにしてもよい。本実施形態のように通常の紙厚の用紙でパッケージを形成することで、厚紙等に比べてパッケージ用用紙への印刷が容易になる。また、本実施形態では、最終パッケージ形態の表面側だけでなく、折り込まれる内側にも任意の事項を印刷できる。従って、通常は別紙で追加する歌詞カードやライナーノーツ、宣伝文等の用紙の追加を減らすことができる。
【００４８】
また、やはり図示は省略しているが、用紙に施される印刷は、最終的なパッケージ形態における第２の折れ目５１の線と直角又は同方向に延伸される線分を含むか、又は、第２の折れ目５１の線及び／又は該線と直角又は同方向に延伸される線分により、印刷内容及び／又は印刷色の境界が分割されるようにすることができる。例えば、第２の折れ目５１に沿って線を書いたり、第２の折れ目５１に沿った線で分割した領域の少なくとも一方を協調したり、第２の折れ目で別れる角領域を各々変更したりができる。このように印刷により第２の折れ目５１の線やその線により分割される領域を協調することで、外観構成の表現の自由度を増大させて商品価値を高めることができる。
【００４９】
また、本実施形態では、図１（ｈ）に示したように、第１の折れ目３１と第２の折れ目５１で折り曲げられて形成された後のパッケージ形態の周囲を、帯状部６０で巻き回してもよい。帯状部６０は、最終的なパッケージ形態の縦及び横の一方の辺に沿って巻き回しできるように形成される。従って、帯状部６０は、最終的なパッケージ形態の縦及び横の一方の周囲の一周寸法よりも同等以上の内径寸法で形成される。このように帯状部６０を最終的なパッケージ形態の外周に追加することで、万が一の用紙端部同士の嵌め合わせが外れ、パッケージが不良になる事態を回避することができる。
【００５０】
図１（ａ）〜（ｈ）のパッケージの形成（折り曲げ）方法は、以下のように実施する。まず、上記したように、略矩形の縦辺及び横辺の一方の第１辺１１の寸法が、収容される円形記録媒体１００の略直径Ｌ１寸法の少なくとも３倍以上であり、他方の第２辺１２の寸法も、円形記録媒体１００の略直径Ｌ１寸法の少なくとも２倍以上である用紙１を準備する。
【００５１】
第１工程（図１（ａ）参照）：用紙１を使用してその所定箇所に、円形記録媒体１００の中心の円形開口１０１と嵌合可能な係止部４１を接着等により設ける。所定箇所は、上述した矩形領域２０の略中心である。
【００５２】
第２工程（図１（ｂ）参照）：用紙１上の係止部４１の外周に、円形記録媒体１００の円形開口１０１を合わせて押圧すること等により、円形記録媒体１００を係止部４１に係止する。
【００５３】
第３工程（図１（ａ）〜（ｇ）参照）：用紙１を、第１辺１１又は第２辺１２と平行に、第１辺１１に沿って複数の円形記録媒体１００の略直径Ｌ１寸法の縦横寸法である矩形領域２０が少なくとも３個配列され、第２辺１２に沿って複数の矩形領域２０が少なくとも２個（本実施形態では４個）が配列されるように形成される第１の折れ目３１で折り曲げる。図１（ｂ）〜図１（ｃ）へは、用紙縦半部分２が用紙縦半部分３側に中央の縦の第１の折れ目３１で折り曲げられ、さらに各々の端部の用紙縦１／４部分４が縦の１／４位置の第１の折れ目３１で各々中央側に蛇腹上に折り曲げられる。その後さらに、各端部の用紙横１／３部分（上下端部矩形領域）５及び７が横の１／３位置の第１の折れ目３１で各々同じ面側の中央（上下中心矩形領域６）側に折り曲げられる。
【００５４】
第４工程（図１（ｃ）、（ｄ）参照）：第１辺１１の両端に位置する各矩形領域２０（上下端部矩形領域５及び７）中の、少なくとも一方の第１端矩形領域２０(上端部矩形領域７)の用紙１における角８部分の１枚の用紙１を、当該矩形領域２０の該角８を通過しない対角線に略平行に折り曲げできるように形成される第２の折れ目５１で折り曲げる。この場合の略平行に折り曲げできる角度範囲は、対角線と平行でなくとも、当該平行状態に対して４５度以下で異なる角度であってもよく、折り曲げられた部分の面積が、対角線と折り曲げ線が一致する時の最大折り曲げ量以下になるようにすればよい。本実施形態では、縦列が４列であるので、その後、第１の折れ目３１で上記したように、図１（ａ）における右から山折り、谷折り、山折りと蛇腹上に折り曲げる。
【００５５】
第５工程（図１（ｅ）、（ｆ）参照）：第１辺１１の両端の第１端矩形領域２０（下端部矩形領域５）の用紙１と、第１端矩形領域２０（下端部矩形領域５）とは反対側の端部に位置する第２端矩形領域２０（上端部矩形領域７）の用紙１を、第１辺１１とは直角方向の第１の折れ目３１で円形記録媒体１００の一方の面側に折り曲げる。
【００５６】
第６工程（図１（ｇ）参照）：第２端矩形領域２０（上端部矩形領域７）の用紙１の角９を、第１端矩形領域２０（下端部矩形領域５）における第２の折れ目５１で折り曲げられた用紙１と、第２の折れ目５１ででは折り曲げられていない他の用紙１との間に挿入することで、第２端矩形領域２０（上端部矩形領域７）の用紙１を、第１端矩形領域２０（下端部矩形領域５）の用紙１と係止する。
【００５７】
ここでさらに、図１（ｈ）に示したように、帯状部６０を図１（ｇ）のように形成されたパッケージ形態の縦方向の周囲に巻き回す。これにより、万が一の用紙端部同士の嵌め合わせが外れ、パッケージが不良になる事態を回避することができる。
【００５８】
本実施形態のパッケージの形成方法によれば、形成が容易な略矩形の用紙を用いて折り曲げるのみのパッケージで、記録媒体の表面を保護することができると共にパッケージの形態を安定させることができ、折り曲げるのみで、低コストで工数を少なくできる。
【００５９】
その場合に、用紙１の第２辺１２の寸法が円形記録媒体１００の略直径寸法の少なくとも３倍以上であり、第３工程では、第２辺１２の矩形領域２０の折り曲げられる部分が、第５工程で第１端矩形領域２０（下端部矩形領域５）及び第２端矩形領域２０（上端部矩形領域７）の用紙１が折り曲げられる面側とは反対の面側に折り曲げできるようにしてもよい。
【００６０】
本態様の円形記録媒体１００用パッケージの形成方法によれば、円形記録媒体１００における円形記録媒体に用紙が嵌め合わされる側のみでなく、それとは反対側もパッケージの用紙部分も２重以上にすることができるので、製造から客先にわたるまで記録媒体の表面を確実に保護することができる。
【００６１】
＜第２実施形態＞
上記した第１実施形態では、第２の折れ目５１で、用紙１の第１辺１１の両端に位置する両方の矩形領域２０（上下端部矩形領域５及び７）部分から、その中の一方の１枚の用紙のみを折り曲げた場合について説明した。しかし、本発明では両方の矩形領域２０（上下端部矩形領域５及び７）部分を折り曲げて実施することができる。その場合を以下に第２実施形態として説明する。
【００６２】
図２（ａ）は、図１（ｄ）に対応する図で、第２の折れ目５１で、用紙１の第１辺１１の両端に位置する両方の矩形領域２０（上下端部矩形領域５及び７）部分の１枚の用紙を折り曲げた状態を示す下面図である。図２（ｂ）は、図１（ｅ）に対応する図で、図２（ａ）の用紙をさらに縦の第１の折れ目３１で縦に半分に折った状態を示す下面図である。図２（ｃ）は、図１（ｇ）に対応する図で、図２（ｂ）の用紙の第１辺１１の両端に位置する両方の矩形領域２０（上下端部矩形領域５及び７）部分を折り曲げて、嵌め合わせた状態を示す下面図である。
【００６３】
本実施形態では、円形記録媒体１００を収容する領域２０（上下中心矩形領域６）に隣接する両側の折り曲げられる端部部分の領域２０（上下端部矩形領域５及び７）で、何れの側の端部の用紙の隙間でも、他方の端部の用紙を嵌め合わすことができる。例えば、図２（ｂ）における面２３と面２５の何れの面でも、一方を最終パッケージ形態の表面に出し、他方を内側に隠れるようにして嵌め合わせることができる。
【００６４】
従って、本実施形態では、第１実施形態と比べて製造時のパッケージ表示上の自由度が増し、また、嵌め合わせが容易になるので製造を容易にできる。また、どちらの端部を外側にするかでパッケージの外側の構成が変えることができるので、２つの状態を表示させることができることから付加価値を高めることができる。
【００６５】
また、製造方法としての第１実施形態との相違は、上記した第１実施形態で説明した第４工程において、第１辺１１の両端に位置する第１端矩形領域２０（下端部矩形領域５）の用紙１と、第２端矩形領域２０（上端部矩形領域７）の用紙１に形成される第２の折れ目５１で折り曲げできるようにしている。
このようにして本実施形態では、円形記録媒体１００を収容する上下中心矩形領域６に隣接する両側の折り曲げられる端部部分、すなわち、位置する第１端矩形領域２０（下端部矩形領域５）の用紙１と、第２端矩形領域２０（上端部矩形領域７）の何れの領域でも、一方の端部の用紙の隙間に、他方の端部の用紙を嵌め合わすことができる。この場合、製造時の自由度が増し、製造を容易にできる。また、どちらの端部を外側にするかでパッケージの外側の構成が変えることができるので、付加価値を高めることができる。
【００６６】
＜第３実施形態＞
上記した第２実施形態では、帯状部６０を図１（ｇ）のように形成されたパッケージ形態の縦方向の周囲に巻き回したが、帯状部は横方向にも巻き回すことができる。その場合を以下に第３実施形態として説明する。
図３は、図１（ｈ）に対応する図であり、図１（ｈ）では帯状部６０は図１（ｈ）における左側から横方向に嵌め合わされるが、本第３実施形態では、帯状部６１は図３における下側から上方向に嵌め合わされる。
このように本実施形態では、帯状部６１を下側から嵌め合わせることで、視覚上の安定感を増加させ、帯状部が搬送中や保管中に振動等により移動した場合にも、重力により著邸の下位置に戻すことができる。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００６８】
１  用紙、
２、３  用紙縦半部分、
４  用紙縦１／４部分、
５  下端部矩形領域、
６  上下中心矩形領域、
７  上端部矩形領域、
８、  ８’、９、９’  角、
１１  第１辺、
１２  第２辺、
２０  領域、
２１  （矩形領域２０の）略中心位置、
２３、２５、２６  面、
３１  第１の折れ目、
４１  係止部、
５１  第２の折れ目、
６０、６１  帯状部、
１００  円形記録媒体、
１０１  円形開口。
【図１】
2010095313.tif 000003
【図２】
2010095313.tif 000004
【図３】
2010095313.tif 000005